(57)【要約】【課題】洗浄槽内から汚水以外の異物が排水路に排出されることを防ぐと共に、汚水に含まれる塊状の汚物を細かくして汚水に分散させた後に排水路へ排出することで、排水路の詰まりを防止したベッドパンウォッシャを提供すること。【解決手段】  ベッドパンを収容し、ベッドパンを洗浄する洗浄槽２０と、洗浄槽２０に接続され、ベッドパンを洗浄した後に生じる汚水を排出する排水路３０と、洗浄槽２０内から排水路３０への異物の侵入を防止すると共に、洗浄槽２０内から排出される汚水に含まれる塊状の汚物を汚水に分散させるための分散促進体４０と、を有していることを特徴とするベッドパンウォッシャ１０である。【選択図】図１
2016147237.tif 000002
【特許請求の範囲】
【請求項１】
ベッドパンを収容し、前記ベッドパンを洗浄する洗浄槽と、
前記洗浄槽に接続され、前記ベッドパンを洗浄した後に生じる汚水を排出する排水路と、
前記洗浄槽内から前記排水路への異物の侵入を防止すると共に、前記洗浄槽内から排出される汚水に含まれる塊状の汚物を前記汚水に分散させるための分散促進体と、
を有していることを特徴とするベッドパンウォッシャ。
【請求項２】
前記分散促進体は複数の板体を具備し、
前記板体は、側面視形状が前記汚水の排水方向上流側から下流側に向けて徐々に幅広寸法となるように形成されていることを特徴とする請求項１記載のベッドパンウォッシャ。
【請求項３】
前記板体は、前記汚水の排水方向上流側端部が尖鋭に形成されていることを特徴とする請求項２記載のベッドパンウォッシャ。
【請求項４】
前記分散促進体は、前記洗浄槽と前記排水路との接続部分に配設されていることを特徴とする請求項１〜３のうちのいずれか一項に記載のベッドパンウォッシャ。
【発明の詳細な説明】
【技術分野】
【０００１】
本願発明はベッドパンウォッシャに関し、より詳細には、洗浄槽から汚物以外の異物の排出を防止すると共に、汚水中の固形物を細分化し、汚水に分散させた状態で排出するためのベッドパンウォッシャに関する。
【背景技術】
【０００２】
医療分野や介護分野において多用されるベッドパンを洗浄するためのベッドパンウォッシャの構成としては、例えば特許文献１に開示されているような構成のものが知られている。
【先行技術文献】
【特許文献】
【０００３】
【特許文献１】特開２００３−１３５５６８号公報
【発明の概要】
【発明が解決しようとする課題】
【０００４】
特許文献１において開示されているベッドパンウォッシャは、消費電力を抑えるために、洗浄液の輸液ポンプと洗浄液を加熱するヒータとを同時に作動させないように動作制御を行うと共に、乾燥工程において洗浄槽と洗浄槽の扉との間に隙間を生じさせることで、乾燥工程を短縮させるなどの工夫がなされたものである。
【０００５】
特許文献１に開示されているベッドパンウォッシャや、市販されている公知のベッドパンウォッシャにおいては、いずれも、少ない消費電力でベッドパンを短時間で確実に洗浄処理することを念頭においた構成である。
ところで、ベッドパンの洗浄処理中においては、ベッドパンに噴射される洗浄液の勢いによりベッドパンの付属品が洗浄槽内から排水路に落下してしまうという不具合が頻発していた。このような状態においてベッドパンの中の汚物が塊状のまま排水路に排出されてしまうと、排水路が詰まってしまうため、汚物が詰まっている排水路に手を突っ込んで汚物およびベッドパンの付属品を取り出さなければならないといった課題があった。
【０００６】
そこで本願発明は上記課題を解決すべくなされたものであり、その目的とするところは、洗浄槽内から異物が排水路に排出されることを防ぐと共に、汚水に含まれる塊状の汚物を細かくして汚水に分散に分散させた後に排水路へ排出することで、排水路の詰まりを防止したベッドパンウォッシャを提供することにある。
【課題を解決するための手段】
【０００７】
上記課題を解決するために本願発明者が鋭意研究した結果、以下の構成に想到した。
すなわち本願発明は、ベッドパンを収容し、前記ベッドパンを洗浄する洗浄槽と、前記洗浄槽に接続され、前記ベッドパンを洗浄した後に生じる汚水を排出する排水路と、前記洗浄槽内から前記排水路への異物の侵入を防止すると共に、前記洗浄槽内から排出される汚水に含まれる塊状の汚物を前記汚水に分散させるための分散促進体と、を有していることを特徴とするベッドパンウォッシャである。
【０００８】
これにより、洗浄槽内からベッドパンウォッシャの付属品等、汚水以外の異物が排水路に排出されることを防ぐと共に、汚物中に塊状の汚物が含まれている場合には、汚物を細かくして汚水に分散させた状態にして排水路に排出することができるため、排水路の詰まりの発生を確実に防止することができる。
【０００９】
また、前記分散促進体は複数の板体を具備し、前記板体は、側面視形状が前記汚水の排水方向上流側から下流側に向けて徐々に幅広寸法となるように形成されていることが好ましい。
さらには、前記板体は、前記汚水の排水方向上流側端部が尖鋭に形成されていることが好ましい。
【００１０】
これらにより、洗浄槽から排出される汚水に含まれている塊状の汚物を確実に細かくして汚水に分散させるができるので、排水路の詰まりの発生をさら確実に防止することができる。
【００１１】
また、前記分散促進体は、前記洗浄槽と前記排水路との接続部分に配設されていることが好ましい。
【００１２】
これにより、洗浄槽において汚水にベッドパンの付属品等の異物が含まれていた場合であっても、洗浄槽内の底部に異物を留めさせることができ、汚水に異物が含まれていたとしても、洗浄槽から簡単に異物を取り出しすることができるため、メンテナンスが容易である。
【発明の効果】
【００１３】
本願発明にかかるベッドパンウォッシャの構成を採用することにより、きわめて簡素な構成である分散促進体を洗浄槽と排水路との間に配設するだけで、洗浄槽内からベッドパンの付属品等の異物が排水路に排出されることを防ぐと共に、汚水に含まれる塊状の汚物を細かくして汚水に分散させた状態にしてから排水路に排出することができる。これらにより、ベッドパンウォッシャの排水路の詰まりの発生を確実に防止することができる。
【図面の簡単な説明】
【００１４】
【図１】本実施形態におけるベッドパンウォッシャの概略構成を示す説明図である。
【図２】本実施形態におけるベッドパンウォッシャの分散促進体を示す説明図である。
【図３】分散促進体の他の実施形態例を示す説明図である。
【発明を実施するための形態】
【００１５】
以下、本願発明にかかるベッドパンウォッシャの実施形態について、図面に基づいて具体的に説明する。
本実施形態におけるベッドパンウォッシャ１０は、図１に示すように、ベッドパンの洗浄を行う函型の洗浄槽２０と、洗浄槽２０の底面に接続された排水路３０と、洗浄槽２０と排水路３０との接続部分に配設された分散促進体４０と、を有している。
【００１６】
洗浄槽２０の正面側には扉２２が取り付けられている。扉２２は洗浄槽２０にヒンジ等に代表される図示しない連結手段を介して洗浄槽２０に対して開閉可能に取り付けられている。扉２２は、洗浄槽２０のメンテナンス等を行う際において洗浄槽２０から取り外し可能に取り付けられていることが好ましい。
【００１７】
洗浄槽２０の内部には、ベッドパンを収容するベッドパン収容部２４が配設されている。ベッドパン収容部２４は、カゴ形状に形成されていることが好ましい。ベッドパン収容部２４は扉２２の開閉動作に合わせて、洗浄槽２０の内部から扉２２の位置に移動可能となるように、リンク機構２６を介して扉２２に連結されていることが好ましい。
【００１８】
また、洗浄槽２０の内部には、ベッドパンを洗浄するための洗浄ノズル２８が配設されている。洗浄ノズル２８は洗浄槽２０内に少なくとも一箇所に配設されている。洗浄ノズル２８は、ベッドパンの表面全体に対して洗浄液を噴き付けすることができるように、洗浄槽２０の内部空間において回転可能に設けられている。本実施形態においては、洗浄槽２０の内壁面のそれぞれに対して少なくとも一つの洗浄ノズル２８が配設されている。それぞれの洗浄ノズル２８は、洗浄槽２０の内壁面に直交する方向に伸びる軸周りに回転可能に設けられている。これにより洗浄ノズル２８から噴射される洗浄液をベッドパンの外表面の全てに対して噴き付けることができ、ベッドパンの確実な洗浄が可能である。
【００１９】
また、図示はしていないが、本実施形態における洗浄槽２０には、洗浄槽２０に水道水を供給する給水路、洗浄液を貯留するための洗浄液タンク、洗浄処理した後のベッドパンに噴射させるリンス液を貯留するリンス液タンク、洗浄液とリンス液とを加熱すると共に、洗浄処理後のベッドパンを乾燥させるためのヒータ、洗浄ノズル２８に洗浄液とリンス液を供給するためのポンプが配設されている。
【００２０】
洗浄槽２０の底面には洗浄槽２０から排出される汚水等を排出するための排水路３０が接続されている。排水路３０は、ベッドパンウォッシャ１０に適用可能な公知の排水路３０の構成を採用することができる。ここでは、耐熱性や耐薬品性に優れた塩化ビニール製管を排水路３０として採用している。排水路３０の上端部（洗浄槽２０の底面との接続部）には、分散促進体４０が配設されている。
【００２１】
本実施形態における分散促進体４０は、分散促進体４０の汚水排水方向における上流側端部である頂部４１の高さ位置が洗浄槽２０の底面高さ位置と同じ高さ位置となるようにして配設されている。分散促進体４０は、排水路３０の内部に設けられた図示しない支持部材により支持させることにより排水路３０内に配設されている。
本実施形態における分散促進体４０は、図２に示すように複数枚の板体である分散板４２により形成されている。分散板４２は側面視形状が直角三角形をなしていて、汚水排水方向の上流側から下流側に向けて幅寸法が徐々に大きくなるように形成されている。
【００２２】
ここでは、それぞれの分散板４２の高さ方向の垂直辺を互いに当接させた状態で溶接等により一体化して分散促進体４０を形成している。このようにして形成された分散促進体４０は、頂部４１が尖鋭な形状に形成されるため、汚水に含まれる塊状の汚物を確実に破砕することができ、細かく破砕された汚物を汚水に分散させた状態にすることができる。本実施形態における分散促進体４０は、分散促進体４０を平面視した際において、頂部４１を中心とした平面内に９０度間隔で４枚の分散板４２が放射状に配設されている。
【００２３】
このような分散促進体４０を洗浄槽２０と排水路３０との接続部分に配設することで、洗浄槽２０から排出される汚水が排水路３０に送り出される前に分散促進体４０の分散板４２に衝突することになり、汚水に含まれる塊状の汚物を細かくし、汚物を汚水に分散させた状態で排水路３０に排出させることができる。分散板４２と汚物が衝突する面（分散板４２の板厚方向の面）に図示しないエッジ部または薄肉部を形成しておけば、汚水に含まれる塊状の汚物をより効率的に汚水に分散させることができ、好都合である。
【００２４】
また、洗浄槽２０と排水路３０との間の位置に分散促進体４０を配設したことにより、洗浄槽２０内で汚物以外の異物（ベッドパンの付属品等）がベッドパン収容部２４から落下した際には、洗浄槽２０の内底面部分付近に異物を留めておくことができるため、洗浄槽２０内からの異物の取り出しを容易に行うことができる点においても好都合である。
【００２５】
以上、本願発明にかかるベッドパンウォッシャ１０について実施形態に基づいて詳細に説明したが、本願発明にかかるベッドパンウォッシャ１０の構成は、本実施形態に示したベッドパンウォッシャ１０の構成に限定されるものではない。たとえば、本実施形態においては、分散促進体４０の排水路３０内における配設箇所を、洗浄槽２０と排水路３０との接続部分において分散促進体４０の頂部４１の高さ位置が洗浄槽２０の底面高さ位置と同じ高さ位置になるように配設しているが、分散促進体４０の頂部４１が洗浄槽２０の内部空間に進入するように配設してもよい。また、分散促進体４０の頂部４１の高さ位置が洗浄槽２０の底面高さ位置よりも低い位置となるように配設することもできる。
【００２６】
このように、分散促進体４０の頂部４１の高さ位置を洗浄槽２０の底面高さ位置よりも低い位置に配設することにより、塊状の汚物を含んだ汚水が分散促進体４０に衝突する際の運動エネルギを増大させることができるので、汚水に含まれる汚物の分散性（細分化）を向上させることができる。もし、分散促進体４０の頂部４１の高さ位置を洗浄槽２０の底面高さ位置よりも低い位置に配設したことにより、洗浄槽２０の扉２２部分から分散促進体４０の配設位置へのアクセスができない場合には、分散促進体４０が配設されている高さ位置に、メンテナンス用アクセス部を排水路３０に配設しておくことが好適である。
【００２７】
また、本実施形態においては、４枚の分散板４２を一体化してなる分散促進体４０の形態について説明しているが、分散板４２の配設枚数は４枚に限定されるものではない。また、本実施形態においては、側面視形状が三角形状に形成された分散板４２の形態について説明しているが、分散板４２の側面視形状は、いわゆる台形形状（上辺よりも下辺の方が長い台形である）に形成されたものを採用することもできる。
【００２８】
また、分散促進体４０は本実施形態で説明した複数枚の分散板４２による形態に代えて、図３に示すように、略円錐体をなす分散促進体４０の側周面（傾斜面）４４に母線と平行に伸びるスリット４６を形成した形態を採用することもできる。スリット４６は、長さや幅が異なるものを適宜配設することができる。
また、スリット４６の輪郭線部分には、スリット４６の輪郭線に沿ったエッジ部や、同じくスリット４６の輪郭線に沿って所要間隔をあけた複数の尖鋭突部（いずれも図示せず）を配設しておけば、汚水中の塊状の汚物の破砕性が向上するため好都合である。
このような略円錐体をなす分散促進体４０の底面は、開口面に形成される。
【符号の説明】
【００２９】
１０  ベッドパンウォッシャ，
２０  洗浄槽，  ２２  扉，２４  ベッドパン収容部，２６  リンク機構，２８  洗浄ノズル，
３０  排水路，
４０  分散促進体，４１  頂部，４２  分散板，４４  側周面（傾斜面），４６  スリット
【図１】
2016147237.tif 000003
【図２】
2016147237.tif 000004
【図３】
2016147237.tif 000005